【手続補正書】
【提出日】平成22年6月16日(2010.6.16)
【手続補正１】
【補正対象書類名】特許請求の範囲
【補正対象項目名】全文
【補正方法】変更
【補正の内容】
【特許請求の範囲】
【請求項１】
マイクロコンピュータによって制御され、複数フレーム分の画像データの記憶容量を有する画像メモリへの画像データの書き込みと前記画像メモリからの画像データの読み出しとを行う読み書き回路であって、２つのポートを用いて２系統の画像データを同時に読み出し可能な読み書き回路と、
外部のテープ状記録媒体の再生機器から入力された画像データを、リファレンス信号に同期して、前記読み書き回路に書き込みのために供給する入力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記画像メモリからの読み出しを指示するための第２の操作手段
をさらに備え、
前記マイクロコンピュータは、前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから同時に読み出させる読み出し処理
を行う
画像記憶再生装置。
【請求項２】
請求項１に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として用いる
画像記憶再生装置。
【請求項３】
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから順次読み出させて前記出力回路から出力させる読み出し処理
を行う
画像記憶再生装置。
【請求項４】
請求項３に記載の画像記憶再生装置において、
前記制御部は、前記第２の操作手段の操作に応じて、
前記記録機器に記録開始コマンドを送る第１の処理と、
前記記録機器から前記リファレンス信号への同期状態の情報を受信し、前記記録機器が前記リファレンス信号に同期しているか否かを判断する第２の処理と
を行い、前記第２の処理において同期していない場合、前記第２の処理を繰り返し、
前記マイクロコンピュータは、前記読み出し処理において、前記制御部の前記第２の処理において同期していると判断された以降に、前記２つの素材を前記画像メモリから順次読み出させる
画像記憶再生装置。
【請求項５】
請求項３に記載の画像記憶再生装置において、
前記マイクロコンピュータは、前記読み出し処理において、前記２つの素材のうちの一方の素材の読み出しが終了した後、単色画像の画像データを一定のフレーム数の期間に亘って前記出力回路から出力させた後、残りの一方の素材を読み出させる
画像記憶再生装置。
【請求項６】
請求項３に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として用いる
画像記憶再生装置。
【請求項７】
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記ファイルシステムに登録した素材のうちの１つ以上を指定することにより、指定した素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された各素材に関するファイルの前記記憶位置情報に基づき、指定された各素材を前記画像メモリから順次読み出させて前記出力回路から出力させる読み出し処理
を行う
画像記憶再生装置。
【請求項８】
請求項７に記載の画像記憶再生装置において、
前記制御部は、前記第２の操作手段の操作に応じて、
前記記録機器に記録開始コマンドを送る第１の処理と、
前記記録機器から前記リファレンス信号への同期状態の情報を受信し、前記記録機器が前記リファレンス信号に同期しているか否かを判断する第２の処理と
を行い、前記第２の処理において同期していない場合、前記第２の処理を繰り返し、
前記マイクロコンピュータは、前記読み出し処理において、前記制御部の前記第２の処理において同期していると判断された以降に、指定された各ファイルに対応する素材を前記画像メモリから順次読み出させる
画像記憶再生装置。
【請求項９】
請求項７に記載の画像記憶再生装置において、
前記マイクロコンピュータは、前記読み出し処理において、１つの素材の読み出しが終了する毎に、画像記憶再生装置内部で生成した画像データを一定のフレーム数の期間に亘って前記出力回路から出力させた後、次の素材を読み出させる
画像記憶再生装置。
【請求項１０】
請求項７に記載の画像記憶再生装置において、
前記画像メモリに書き込まれている画像データのうち、前記記録機器に記録する素材と素材との間に挿入させる画像データを指定するための第３の操作手段
をさらに備え、
前記マイクロコンピュータは、前記読み出し処理において、１つの素材の読み出しが終了する毎に、前記第３の操作手段で指定された画像データを一定のフレーム数の期間に亘って前記画像メモリから読み出させた後、次の素材を読み出させる
画像記憶再生装置。
【請求項１１】
請求項７に記載の画像記憶再生装置において、
前記マイクロコンピュータは、前記画像メモリを、アドレス順に一定のバイト数毎の複数の領域に区分して、各々の前記領域に１フレーム分ずつの画像データを書き込むように前記読み書き回路を制御し、各フレームの画像データが格納された前記領域の番号を、前記記憶位置情報として用いる
画像記憶再生装置。
【請求項１２】
マイクロコンピュータによって制御され、複数フレーム分の画像データの記憶容量を有する画像メモリへの画像データの書き込みと前記画像メモリからの画像データの読み出しとを行う読み書き回路であって、２つのポートを用いて２系統の画像データを同時に読み出し可能な読み書き回路と、外部のテープ状記録媒体の再生機器から入力された画像データを、リファレンス信号に同期して、前記読み書き回路に書き込みのために供給する入力回路と、前記再生機器で再生されて前記入力回路及び前記読み書き回路を介して前記画像メモリに書き込まれた複数フレーム分の画像データから成る素材に対して、２つの素材に分割する分割位置を指定するための第１の操作手段とを備える画像記憶再生装置による画像記憶再生方法であって、
前記マイクロコンピュータにより、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記画像記憶再生装置は、前記対になっている２つの素材の一方を指定することにより、前記対になっている２つの素材の前記画像メモリからの読み出しを指示するための第２の操作手段を、さらに備え、
前記マイクロコンピュータにより、
前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから同時に読み出させる読み出し処理
を行う
画像記憶再生方法。
【手続補正２】
【補正対象書類名】明細書
【補正対象項目名】発明の名称
【補正方法】変更
【補正の内容】
【発明の名称】画像記憶再生装置および画像記憶再生方法
【手続補正３】
【補正対象書類名】明細書
【補正対象項目名】０００１
【補正方法】変更
【補正の内容】
【０００１】
本発明は、例えばテレビジョン放送用のスタジオ回路などに配置される画像記憶再生装置および当該画像記憶再生装置により実行される画像記憶再生方法に関し、特に、ＶＴＲのようなテープ状記録媒体の再生機器で再生された画像データが入力されるものに関する。
【手続補正４】
【補正対象書類名】明細書
【補正対象項目名】００１２
【補正方法】変更
【補正の内容】
【００１２】
上記課題を解決するために、本発明に係る第１の画像記憶再生装置は、
マイクロコンピュータによって制御され、複数フレーム分の画像データの記憶容量を有する画像メモリへの画像データの書き込みと前記画像メモリからの画像データの読み出しとを行う読み書き回路であって、２つのポートを用いて２系統の画像データを同時に読み出し可能な読み書き回路と、
外部のテープ状記録媒体の再生機器から入力された画像データを、リファレンス信号に同期して、前記読み書き回路に書き込みのために供給する入力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記画像メモリからの読み出しを指示するための第２の操作手段
をさらに備え、
前記マイクロコンピュータは、前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから同時に読み出させる読み出し処理
を行う
ことを特徴とする。
【手続補正５】
【補正対象書類名】明細書
【補正対象項目名】００１８
【補正方法】変更
【補正の内容】
【００１８】
次に、本発明に係る第２の画像記憶再生装置は、
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記対になっている２つの素材の一方を指定することにより、前記対になっている２つの素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された素材を登録したファイルの前記記憶位置情報と、前記対情報によって示されている素材を登録したファイルの前記記憶位置情報とに基づき、前記対になっている２つの素材を前記画像メモリから順次読み出させて前記出力回路から出力させる読み出し処理
を行う
ことを特徴とする。
【手続補正６】
【補正対象書類名】明細書
【補正対象項目名】００２５
【補正方法】変更
【補正の内容】
【００２５】
次に、本発明に係る第３の画像記憶再生装置は、
マイクロコンピュータによって制御され、複数フレーム分の画像データの記憶容量を有する画像メモリへの画像データの書き込みと前記画像メモリからの画像データの読み出しとを行う読み書き回路と、
外部のテープ状記録媒体の再生機器から入力された画像データを、リファレンス信号に同期して、前記読み書き回路に書き込みのために供給する入力回路と、
前記読み書き回路によって読み出された画像データを、前記リファレンス信号に同期して外部のテープ状記録媒体の記録機器に対して出力する出力回路と、
前記再生機器で再生されて前記入力回路及び前記読み書き回路を介して前記画像メモリに書き込まれた複数フレーム分の画像データから成る素材に対して、２つの素材に分割する分割位置を指定するための第１の操作手段と、
前記記録機器を制御する制御部と
を備え、
前記マイクロコンピュータは、
前記マイクロコンピュータ内のメモリにファイルシステムを構築し、前記画像メモリに書き込まれた前記素材について、前記画像メモリにおける記憶位置情報を含んだファイルを前記ファイルシステムに作成するファイル登録処理と、
前記第１の操作手段の操作に応じて、前記ファイル登録処理で作成したファイルから、指定された分割位置より前のフレームの順列から成る素材と前記分割位置より後ろのフレームの順列から成る素材との前記２つの素材として前記ファイルシステムに登録し直し、かつ該２つの素材が対になっていることを示す対情報を前記ファイルシステムのファイルに格納する素材分割・対素材化処理と
を行い、
前記ファイルシステムに登録した素材のうちの１つ以上を指定することにより、指定した素材の前記記録機器への記録を指示するための第２の操作手段
をさらに備え、
前記制御部は、前記第２の操作手段の操作に応じて、前記記録機器に記録開始コマンドを送り、
前記マイクロコンピュータは、
前記第２の操作手段の操作に応じて、指定された各素材に関するファイルの前記記憶位置情報に基づき、指定された各素材を前記画像メモリから順次読み出させて前記出力回路から出力させる読み出し処理
を行う
ことを特徴とする。